(57)【要約】【課題】最適な温度状態でＦＰＤを使用でき、良好なＸ線画像を得ることが可能なＸ線検出器収容ケースを提供すること。【解決手段】一実施形態に係るＸ線検出器収容ケースは、ケース本体と、Ｘ線検出素子をマトリクス状に配置して検出面を構成した可搬型のＸ線平面検出器を収容する前記ケース本体に設けられた収容部と、前記収容部に収容された前記Ｘ線平面検出器の前記検出面に対向する前記ケース本体の側面に設けられ、前記収容部に収容された当該検出器の前記検出面を前記ケース本体の外部から視認可能とする透明部材と、前記収容部に収容された前記Ｘ線平面検出器の温度を所定の目標値に制御する温度制御部と、を備えている。【選択図】    図４
2013142557.tif 000002
【特許請求の範囲】
【請求項１】
ケース本体と、
Ｘ線検出素子をマトリクス状に配置して検出面を構成した可搬型のＸ線平面検出器を収容する前記ケース本体に設けられた収容部と、
前記収容部に収容された前記Ｘ線平面検出器の前記検出面に対向する前記ケース本体の側面に設けられ、前記収容部に収容された当該検出器の前記検出面を前記ケース本体の外部から視認可能とする透明部材と、
前記収容部に収容された前記Ｘ線平面検出器の温度を所定の目標値に制御する温度制御部と、
を備えていることを特徴とするＸ線検出器収容ケース。
【請求項２】
当該Ｘ線検出器収容ケースの外気温度を検出する外気温センサをさらに備え、
前記温度制御部は、前記外気温センサによって検出される外気温度に基づいて前記目標値を設定することを特徴とする請求項１に記載のＸ線検出器収容ケース。
【請求項３】
前記温度制御部は、前記外気温センサによって検出される外気温度が予め設定された温度範囲内にある場合には前記目標値を当該外気温度に設定し、前記外気温センサによって検出される外気温度が前記温度範囲の下限値よりも小さい場合には前記目標値を当該下限値に設定し、前記外気温センサによって検出される外気温度が前記温度範囲の上限値よりも大きい場合には前記目標値を当該上限値に設定することを特徴とする請求項２に記載のＸ線検出器収容ケース。
【請求項４】
前記収容部に収容された前記Ｘ線平面検出器に給電する給電部をさらに備えていることを特徴とする請求項１乃至３のうちいずれか１に記載のＸ線検出器収容ケース。
【請求項５】
前記収容部内に設けられ、前記収容部に前記Ｘ線平面検出器が収容された際に当該Ｘ線平面検出器が備えるバッテリを充電するための当該Ｘ線平面検出器に設けられた端子と接続される接続端子をさらに備え、
前記給電部は、前記接続端子を介して前記収容部に収容された前記Ｘ線平面検出器に給電することを特徴とする請求項４に記載のＸ線検出器収容ケース。
【請求項６】
前記収容部に収容された前記Ｘ線平面検出器を検出する検出器検出部をさらに備え、
前記温度制御部は、前記検出器検出部によって前記Ｘ線平面検出器が検出されたことに応じて当該Ｘ線平面検出器の温度制御を開始することを特徴とする請求項１乃至５のうちいずれか１に記載のＸ線検出器収容ケース。
【請求項７】
前記ケース本体には、外部から前記収容部に連通する換気口およびこの換気口を開閉する開閉機構が設けられていることを特徴とする請求項１乃至６のうちいずれか１に記載のＸ線検出器収容ケース。
【請求項８】
前記透明部材は、真空層を有する複層ガラスにて構成されていることを特徴とする請求項１乃至７のうちいずれか１に記載のＸ線検出器収容ケース。
【請求項９】
外光を受けて発電するソーラーパネルをさらに備え、
前記温度制御部は、前記ソーラーパネルによって生成される電力を用いて動作することを特徴とする請求項１乃至８に記載のＸ線検出器収容ケース。
【請求項１０】
当該Ｘ線検出器収容ケースを運搬するための保持機構をさらに備えていることを特徴とする請求項１乃至９のうちいずれか１に記載のＸ線検出器収容ケース。
【発明の詳細な説明】
【技術分野】
【０００１】
本発明の実施形態は、可搬型のＸ線平面検出器を収容するＸ線検出器収容ケースに関する。
【背景技術】
【０００２】
従来、Ｘ線診断装置においてＸ線画像を生成する手段として、Ｘ線フィルムやＣＲが使用されている。
【０００３】
近年、これらに代えて、例えば半導体Ｘ線検出素子をアレイ状に平面配列して形成されるＸ線平面検出器（Flat Panel Detector：ＦＰＤ）が用いられるようになってきた。
【０００４】
さらには、昨今のＦＰＤ技術の進歩に伴い、今後は可搬型のポータブルＦＰＤが訪問治療や僻地でのＸ線撮影、災害時の診断に使用される機会が増えると予想される。
【先行技術文献】
【特許文献】
【０００５】
【特許文献１】特開２００３−１４８６０号公報
【発明の概要】
【発明が解決しようとする課題】
【０００６】
ＦＰＤは、その内部温度の変化によって検出感度に変化が生じる。したがって、良好なＸ線画像を得るにためは、ＦＰＤの内部温度を好ましい温度域内で一定に保たなければならない。特に上記したポータブルＦＰＤを室外で使用する場合などにおいては、外気温によるＦＰＤ本体への影響が大きいため、ＦＰＤを最適な温度状態で使用できるように何らかの手段を講じる必要がある。
【０００７】
本発明が解決しようとする課題は、最適な温度状態でＦＰＤを使用でき、良好なＸ線画像を得ることが可能なＸ線検出器収容ケースを提供することである。
【課題を解決するための手段】
【０００８】
一実施形態に係るＸ線検出器収容ケースは、ケース本体と、Ｘ線検出素子をマトリクス状に配置して検出面を構成した可搬型のＸ線平面検出器を収容する前記ケース本体に設けられた収容部と、前記収容部に収容された前記Ｘ線平面検出器の前記検出面に対向する前記ケース本体の側面に設けられ、前記収容部に収容された当該検出器の前記検出面を前記ケース本体の外部から視認可能とする透明部材と、前記収容部に収容された前記Ｘ線平面検出器の温度を所定の目標値に制御する温度制御部と、を備えている。
【図面の簡単な説明】
【０００９】
【図１】第１の実施形態に係るＸ線検出器収容ケースの外観斜視図。
【図２】同ケースの蓋体が開いた状態を示す外観斜視図。
【図３】同ケースが備える換気口の開閉機構を説明するための図。
【図４】図１に示したＸ線検出器収容ケースのＡ−Ａ断面図。
【図５】同ケースが備える収容部内の構造等を説明するための図。
【図６】同ケースとＦＰＤの制御構成を示すブロック図。
【図７】同ケースによるＦＰＤの温度制御を説明するための図。
【図８】第２の実施形態に係るＸ線検出器収容ケースの外観斜視図。
【図９】同ケースが備える保持機構の変形例を示す外観斜視図。
【発明を実施するための形態】
【００１０】
いくつかの実施形態について図面を参照しながら説明する。  
以下の説明において、同一の構成要素には同一の符号を付し、重複説明は必要な場合に限り行う。
【００１１】
（第１の実施形態）
先ず、第１の実施形態について説明する。  
図１，図２は、本実施形態に係るＸ線検出器収容ケース１の外観斜視図である。  
各図に示すように、Ｘ線検出器収容ケース１は、上方が開口した直方体形状のケース本体２を有する。このケース本体２の内部は、可搬型（ポータブルタイプ）のＸ線検出器であるＦＰＤ１００を収容するための収容部３となる。
【００１２】
ケース本体２の上方にはヒンジ４を介して蓋体５が取り付けられている。蓋体５は、ヒンジ４を軸として蓋体５を回動させることにより、ケース本体２に対して開閉可能である。蓋体５がケース本体２に押し当てられると、図示せぬラッチ機構によって蓋体５がケース本体２に対して固定される。上記ラッチ機構は、例えばケース本体２および蓋体５のいずれか一方にフックを設け、他方に上記フックと係合する係合軸を設け、蓋体５が閉じられた際にこれらフックおよび係合軸を係合させることにより蓋体５がケース本体２に対して固定されるように構成し得る。
【００１３】
なお、ケース本体２および蓋体５は、収容部３内と外気との断熱性を高めるべく、例えば真空断熱材等で構成されている。
【００１４】
蓋体５の下面には環状のゴムパッキン６が設けられており、蓋体５が閉じられた際にはこのゴムパッキン６がケース本体２の開口縁に対して圧接され、収容部３の開口面が密閉される。
【００１５】
ケース本体２の正面、すなわち収容部３に収容されたＦＰＤ１００のＸ線検出面１０１（図４，図５参照）と対向する側面の一部は、Ｘ線透過性および透明性の高い２枚のガラス材にて真空層を挟み込む構造の複層ガラス７（透明部材）にて形成されている。複層ガラス７の寸法は、例えば収容部３内に収容されたＦＰＤ１００のＸ線検出面１０１の寸法よりも若干大きくし、外部から当該Ｘ線検出面１０１の全体を視認できるようにする。なお、複層ガラス７に用いるガラス材としては、例えばアクリルガラス（ポリメタクリル酸メチル樹脂）を採用し得る。このようにケース本体２の一面を複層ガラス７にて形成したことにより、外部から収容部３内に収容されたＦＰＤ１００が視認可能になるとともに、ＦＰＤ１００を収容部３に収容したままのＸ線撮影が可能となる。
【００１６】
また、ケース本体２の側面には、収容部３に繋がるメッシュ状の換気口８が設けられている。この換気口８は、開閉機構によって開閉自在としてもよい。開閉機構としては、例えば図３に示すように換気口８を周囲の面よりも窪ませた部分に設け、当該部分の両側壁に一対のガイド溝８０（図３には一方のみ示す）を設け、このガイド溝８０によって換気口閉鎖用のカバー８１の両側縁を保持し、このカバー８１をガイド溝８０内でスライドさせることにより、換気口８を開閉自在とする構成を採用し得る。但し、開閉機構としては、図３に示すものの他、着脱式のカバーを換気口８に嵌め込む機構等を採用してもよい。
【００１７】
図４は、図１に示したＸ線検出器収容ケース１のＡ−Ａ断面図である。図中、当該ケース１内に収容されたＦＰＤ１００に関しては、断面ではなく正面図にて示している。この断面図に示すように、収容部３の内部には、収容部３に挿入されるＦＰＤ１００を適切な位置に案内するガイド部材１０，１１、ＦＰＤ１００とケース本体２とを電気的に接続する接続端子１２、および、収容部３内に収容されたＦＰＤ１００を検出するスイッチ１３（検出器検出部）等が設けられている。また、ケース本体２の下方には、ケース本体２の各部を制御する制御ユニット１４、ケース本体２の外気温度ＴOUTを検出する外気温センサ１５、収容部３内の温度を調節する熱交換ユニット１６、および、ケース本体２の各部に電源を供給するバッテリユニット１７（給電部）等が設けられている。これらのうち、制御ユニット１４および熱交換ユニット１６は、本実施形態における温度制御部として機能する。
【００１８】
熱交換ユニット１６としては、例えば流れる電流の方向によって冷却／加熱の動作を選択的に行うペルチェ素子、このペルチェ素子に取り付けられたヒートシンク、このヒートシンクに送風して熱交換を促進させる送風ファン等を備えた構成を採用し得る。
【００１９】
バッテリユニット１７は、電力を蓄えるバッテリや、このバッテリから電源を取り出してＸ線検出器収容ケース１の各部に供給する電源回路等で構成されている。上記バッテリは、例えばケース本体２に設けられた図示せぬ充電用接続端子に商用交流電源等の外部電源が接続された際に充電される。また、他のバッテリとの交換を可能とすべく、上記バッテリをケース本体２に対して着脱自在な構成としてもよい。このようにすれば、バッテリユニット１７のバッテリの蓄電残量が低下しても、当該バッテリを交換することによって充電時間を待たずにＸ線検出器収容ケース１が使用可能となる。
【００２０】
ここで、図５を用いてガイド部材１０，１１、接続端子１２、および、スイッチ１３の構造および位置関係につき説明する。ガイド部材１０，１１は、図示したようにコの字型の溝部１０ａ，１１ａを有し、これら溝部１０ａ，１１ａが対向するように配置される。溝部１０ａ，１１ａの幅は、ＦＰＤ１００の幅と略一致し、収容部３に挿入されるＦＰＤ１００の縁部を摺動可能に保持してＦＰＤ１００を撮影に適した位置に案内する。さらに、ＦＰＤ１００の挿入後おいて、ガイド部材１０，１１はＦＰＤ１００をケース本体２に対して固定する役割を担うとともに、収容部３の内壁とＦＰＤ１００との間に空気循環用の隙間を形成するスペーサとしても機能する。
【００２１】
接続端子１２およびスイッチ１３は、収容部３の底面に設けられている。ガイド部材１０，１１に案内されたＦＰＤ１００が押し込まれると、接続端子１２およびＦＰＤ１００の下面に設けられた接続端子１０８が電気的に接続される。さらに、スイッチ１３がＦＰＤ１００の下面に接触し、その状態がオフからオンに切り替わる。
【００２２】
図６は、Ｘ線検出器収容ケース１とＦＰＤ１００の制御構成を示すブロック図である。  
ＦＰＤ１００は、Ｎ×Ｍ列のマトリクス状に配列された多数のＸ線検出素子１０２、読出回路１０３、制御ユニット１０４、無線通信ユニット１０５、複数の温度センサ１０６、および、バッテリユニット１０７等を備えている。これら各部で構成されるＦＰＤ１００側の回路は、上記の通り接続端子１０８および接続端子１２が接続されることにより、上記接続端子１２、上記スイッチ１３、上記制御ユニット１４、上記外気温センサ１５、上記熱交換ユニット１６、および、上記バッテリユニット１７等で構成されるＸ線検出器収容ケース１側の回路と接続される。
【００２３】
各Ｘ線検出素子１０２は、入射したＸ線に応じた電荷を生成するものであり、Ｘ線に感応し入射線量に対応した電荷を直接出力する変換層、この変換層から出力される電荷を蓄積するコンデンサ、および、このコンデンサに蓄積された電荷を取り出すためのスイッチング素子を有する直接変換型や、Ｘ線を光に変換するＸ線変換膜、このＸ線変換膜にて変換される光に応じた電荷を出力するフォトダイオード、このフォトダイオードから出力される電荷を蓄積するコンデンサ、および、このコンデンサに蓄積された電荷を取り出すためのスイッチング素子を有する間接変換型のいずれであってもよい。
【００２４】
読出回路１０３は、各Ｘ線検出素子１０２のスイッチング素子を順次制御して各Ｘ線検出素子１０２の上記コンデンサに蓄積された電荷を読み出すゲートドライバ回路、このゲートドライバ回路からの出力を増幅する増幅器、この増幅器からの出力をデジタル信号に変換するＡ／Ｄ変換器等で構成されている。
【００２５】
無線通信ユニット１０５は、上記デジタル信号をＸ線画像データとして記憶したりディスプレイに表示するなどの各種処理を行う外部装置２００との間で無線通信を行う。
【００２６】
各温度センサ１０６は、図４に示すようにＦＰＤ１００内の各所に設けられ、ＦＰＤ１００の温度、特に各Ｘ線検出素子１０２近傍の温度ＴFPDを検出する。
【００２７】
制御ユニット１０４は、無線通信ユニット１０５を制御して、読出回路１０３から出力されるデジタル信号を外部装置２００に送信させる。また、制御ユニット１０４は、各温度センサ１０６の検出温度ＴFPDを周期的に取得し、接続端子１０８および接続端子１２を介してＸ線検出器収容ケース１側の制御ユニット１４に送信する。ケース本体２が無線通信ユニットを併せ持ち、検出温度ＴFPDは、この無線通信ユニットによりケース本体２に転送されてもよい（この場合、接続端子は充電のための電気的なつながりだけとなる）。
【００２８】
バッテリユニット１０７は、電力を蓄えるバッテリや、このバッテリから電源を取り出してＦＰＤ１００の各部に供給するとともに、接続端子１０８を介してＸ線検出器収容ケース１側から供給される電力にて上記バッテリを蓄電する電源回路等で構成されている。なお、Ｘ線検出器収容ケース１側から電力が供給されている間、電源回路は当該電力をＦＰＤ１００の各部にも供給する。
【００２９】
続いて、Ｘ線検出器収容ケース１の制御ユニット１４が実行する処理について説明する。  
制御ユニット１４は、収容部３内にＦＰＤ１００が収容され、スイッチ１３がオンに切り替わったことに応じて動作を開始する。
【００３０】
処理開始当初において、先ず制御ユニット１４は、バッテリユニット１７にＦＰＤ１００への電源供給の開始を指令する。この指令を受けたことに応じ、バッテリユニット１７は、接続端子１２および接続端子１０８を介してＦＰＤ１００のバッテリユニット１０７への給電を開始する。このとき、当該電力によってバッテリユニット１０７が備えるバッテリが充電されるとともに、当該電力によってＦＰＤ１００の各部が動作する。
【００３１】
さらに、制御ユニット１４は、ＦＰＤ１００の温度制御を開始する。  
この温度制御において、制御ユニット１４は、外気温センサ１５によって検出される外気温度ＴOUTを周期的に取得するとともに、接続端子１２、接続端子１０８および制御ユニット１０４を介して各温度センサ１０６によって検出されるＦＰＤ温度ＴFPDを周期的に取得する。
【００３２】
そして、制御ユニット１４は、ＦＰＤ１００を最適な温度環境に保つべく、順次取得される外気温度ＴOUT、予め自身が備えるメモリ等に記憶された下限温度Ｔminおよび上限温度Ｔmaxに基づいて温度制御の目標値を動的に設定し、順次取得されるＦＰＤ温度ＴFPDが当該目標値に近づくように熱交換ユニット１６を制御する。下限温度Ｔminおよび上限温度Ｔmaxは、ＦＰＤ１００が最適に動作する温度範囲の境界を示すものであり、実験的、経験的、ないしは理論的に求められる。
【００３３】
なお、当該温度制御で用いるＦＰＤ温度ＴFPDは、例えば各温度センサ１０６にて検出される各ＦＰＤ温度ＴFPDの平均値とすればよい。その他、各温度センサ１０６にて検出される各ＦＰＤ温度ＴFPDの最大値や最小値としてもよい。
【００３４】
上記目標値は、図７に示す３態様、すなわち外気温度ＴOUTが下限温度Ｔmin〜上限温度Ｔmaxの範囲内の値である場合（Ｔmin≦ＴOUT≦Ｔmax；Ｃａｓｅ１）、外気温度ＴOUTが下限温度Ｔmin未満の値である場合（ＴOUT＜Ｔmin；Ｃａｓｅ２）、外気温度ＴOUTが上限温度Ｔmaxを超える値である場合（Ｔmax＜ＴOUT；Ｃａｓｅ３）、において、異なる手法で設定される。
【００３５】
具体的には、上記Ｃａｓｅ１においては、ＦＰＤ温度ＴFPDの目標値を外気温度ＴOUTに設定する。  
また、上記Ｃａｓｅ２においては、ＦＰＤ温度ＴFPDの目標値を下限温度Ｔminに設定する。  
また、上記Ｃａｓｅ３においては、ＦＰＤ温度ＴFPDの目標値を上限温度Ｔmaxに設定する。  
このように目標値を設定すると、ＦＰＤ温度ＴFPDが最適に動作する温度範囲内に保たれ、かつその値が外気温度ＴOUTに極力近づくことになる。
【００３６】
次に、上記のような構成による作用について説明する。  
Ｘ線画像を撮影する際には、Ｘ線管等を有する可搬型のＸ線源と、ＦＰＤ１００が収容されたＸ線検出器収容ケース１とを被検体を挟んで正対させ、この状態でＸ線源から被検体にＸ線を曝射し、被検体を透過したＸ線をＦＰＤ１００にて検出させる。
【００３７】
本実施形態においては、収容部３内に収容されたＦＰＤ１００のＸ線検出面１０１に対向するケース本体２の側面がＸ線透過性の高い複層ガラス７にて構成されているので、ＦＰＤ１００を当該収容ケース１から取り出すことなく、収容したままでの撮影が可能である。また、被検体の撮影対象部位に関する良好なＸ線画像を得るためには、ＦＰＤ１００と、Ｘ線源との位置合わせが重要となる。この点に関し、本実施形態に係る複層ガラス７は高い透明性を有しているため、ケース本体２の外部からＦＰＤ１００のＸ線検出面１０１を視認することができ、当該Ｘ線検出面１０１を目視しながらの正確な位置合わせが可能となる。さらに、本実施形態に係るＸ線検出器収容ケース１は、収容部３内に収容されたＦＰＤ１００の温度を撮影に適した温度に自動的に調整するので、温度に起因したＸ線画像の画質劣化も防止される。
【００３８】
また、ＦＰＤ１００は、Ｘ線検出器収容ケース１から取り出した状態でＸ線撮影に使用することも可能である。この場合、Ｘ線検出器収容ケース１内に収容されたＦＰＤ１００の温度と外気温度の温度差が大きいと、Ｘ線検出面１０１等に生じる結露や、各Ｘ線検出素子１０２の構成要素の変形などに起因したＸ線画像の画質劣化が危惧される。この点に関し、本実施形態に係るＸ線検出器収容ケース１は、収容部３に収容されたＦＰＤ１００の温度を外気温度に極力近づくように制御するため、ＦＰＤ１００をＸ線検出器収容ケース１から取り出して使用する場合であっても、上記のような温度差に起因したＸ線画像の画質劣化を防止できる。さらに、Ｘ線検出器収容ケース１は、収容部３に収納されたＦＰＤ１００に対して接続端子１２および接続端子１０８を介して給電し、ＦＰＤ１００のバッテリユニット１０７が備えるバッテリを充電する。このように、収容部３にＦＰＤ１００を収納することでＦＰＤ１００のバッテリが充電される構成であれば、当該バッテリを充電する専用の機器を用意する必要がなくなる。
【００３９】
また、本実施形態に係るＸ線検出器収容ケース１は、収容部３にＦＰＤ１００が収納された際にスイッチ１３がオン状態に切り替わり、温度制御やＦＰＤ１００への電源供給を開始する。このような構成であれば、ユーザが温度制御や電源供給のオンオフを手動で切り替える必要がなくなる。また、このようなオンオフの操作をユーザがし忘れることもない。
【００４０】
また、図３に示したように換気口８を開閉自在とすれば、換気口８を閉じることによりＸ線検出器収容ケース１の機密性を高められるので、例えば雨天時など収容部３内に水が浸入し易い環境下において使用する際に、収容部３内への水の浸入を防止することが可能となる。なお、換気口８以外の部分、例えば熱交換ユニット１６にも収容部３内と外気との連通部分が存在する場合には、当該部分にも図３に示したような開閉機構を設け、機密性を高められるようにすればよい。
【００４１】
その他、本実施形態に開示した構成からは、種々の好適な効果が得られる。
【００４２】
（第２の実施形態）
次に、第２の実施形態について説明する。  
第１の実施形態と同一の構成要素には同一の符号を付し、重複説明は必要な場合に限り行う。
【００４３】
図８は、本実施形態に係るＸ線検出器収容ケース１の外観斜視図である。  
本実施形態に係るＸ線検出器収容ケース１およびＦＰＤ１００は、第１の実施形態にて説明した構成を全て備える。それらに加え、本実施形態に係るＸ線検出器収容ケース１は、ケース本体２の複層ガラス７が設けられた側面と反対側の側面に太陽光を受けて発電するソーラーパネル２０を備えている。さらに、本実施形態に係るＸ線検出器収容ケース１は、Ｘ線検出器収容ケース１の持ち運びに使用するための保持機構２１を備えている。
【００４４】
ソーラーパネル２０は、太陽光等の外光を用いた光起電力効果を応用して電力を発生する太陽光電池を複数並べて相互接続し、パネル状にしたものであり、ケース本体２のバッテリユニット１７と電気的に接続されている。バッテリユニット１７は、ソーラーパネル２０にて発電された電力にて自身が備えるバッテリを充電する。なお、バッテリユニット１７が備えるバッテリの充電に使用するのではなく、ソーラーパネル２０にて発電された電力をＸ線検出器収容ケース１の各部に直接供給し、各部の動作電源として使用してもよい。
【００４５】
保持機構２１は、例えば図示したようにケース本体２の対向する側面に端部が固定されたベルト状の部材であり、ユーザが手で持ったり、肩に掛けるなどしてＸ線検出器収容ケース１の持ち運びに使用される。また、保持機構２１は、図９に示すように一端がケース本体２の複層ガラス７側の側面の上方に固定され、他端が同側面の下方に固定された一対のベルト状の部材にて構成されてもよい。このように複層ガラス７側の側面に保持機構２１を設ける構成であれば、保持機構２１を用いてユーザがＸ線検出器収容ケース１を運搬する際にソーラーパネル２０が外光に晒され易くなり、ソーラーパネル２０の発電量を高めることができる。その他、保持機構２１は、Ｘ線検出器収容ケース１に取り付けられた取っ手等であってもよい。
【００４６】
本実施形態のようにＸ線検出器収容ケース１にソーラーパネル２０を設ければ、例えば野外で当該収容ケース１のバッテリが尽きた場合であっても、ソーラーパネル２０で発電される電力にて当該収容ケース１ないしはＦＰＤ１００を動作させることが可能となる。
【００４７】
また、本実施形態のようにＸ線検出器収容ケース１に保持機構２１を設けることで、当該収容ケース１ないしはＦＰＤ１００の運搬が容易となる。
【００４８】
その他、本実施形態に開示した構成からは、種々の好適な効果が得られる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…Ｘ線検出器収容ケース、２…ケース本体、３…収容部、４…ヒンジ、５…蓋体、７…複層ガラス、８…換気口、１０，１１…ガイド部材、１２…接続端子、１３…スイッチ、１４…制御ユニット、１５…外気温センサ、１６…熱交換ユニット、１７…バッテリユニット、１００…ＦＰＤ、１０１…Ｘ線検出面、１０６…温度センサ
【図１】
2013142557.tif 000003
【図２】
2013142557.tif 000004
【図３】
2013142557.tif 000005
【図４】
2013142557.tif 000006
【図５】
2013142557.tif 000007
【図６】
2013142557.tif 000008
【図７】
2013142557.tif 000009
【図８】
2013142557.tif 000010
【図９】
2013142557.tif 000011